(57)【特許請求の範囲】
【請求項１】
読み取りセンサーに対して進退移動可能にプラテンを支持すると共に該プラテンを前記読み取りセンサーに押圧させた状態で保持可能なロック機構と、前記プラテンを覆う開閉可能なカバー部材とを備えた読み取り装置において、
前記ロック機構は、
前記プラテンの端部を軸支するプラテン支持部材と、
前記読み取りセンサーから前記プラテンを離隔させる立設状態と前記立設状態から所定方向に傾き前記読み取りセンサーに前記プラテンを当接させる傾倒状態とを前記プラテン支持部材が選択的に取ることを可能とし、且つ、前記プラテン支持部材が前記傾倒状態にあるときに前記読み取りセンサーから遠ざかる方向に前記プラテンが移動することを禁止しつつ前記プラテンの前記読み取りセンサーへの押圧を維持させるように、前記プラテン支持部材を支持する回動支持部材と、
前記プラテン支持部材が前記立設状態にあるときに前記読み取りセンサーから遠ざかる方向における前記プラテン支持部材の一端に一体に設けられており、前記カバー部材が閉められる際に前記カバー部材に当接して前記カバー部材から押圧されることにより前記立設状態から前記傾倒状態に変化させるように前記プラテン支持部材を押圧するレバー部材とを有したことを特徴とする読み取り装置。
【請求項２】
前記プラテン支持部材が立設状態にあるときに、前記プラテンの一端よりも前記読み取りセンサー側に突出した頂部を有する離隔部を前記プラテン支持部材に一体的に備えており、
前記プラテン支持部材が前記立設状態にあるときに前記読み取りセンサーに前記離隔部の前記頂部が当接することによって前記プラテンを前記読み取りセンサーから離隔した状態に保持し、
前記カバー部材が閉められる際に、前記離隔部の前記頂部を支点として前記プラテン支持部材が傾くことで前記プラテン支持部材の状態が前記立設状態から前記傾倒状態に変化するように、前記カバー部材が前記プラテン支持部材を押圧することを特徴とする請求項１記載の読み取り装置。
【請求項３】
前記プラテン支持部材が前記回動支持部材に摺動可能に支持される摺動部材を有しており、
前記プラテン支持部材が前記立設状態にあるときに前記読み取りセンサーに近づく方向に突出している第１湾曲面及び前記読み取りセンサーから遠ざかる方向に突出している第２湾曲面と、前記第１及び第２湾曲面の一方の端部同士を結ぶ第１通過面並びに他方の端部同士を結ぶ第２通過面とが前記摺動部材に形成されており、
前記摺動部材における前記第１及び第２通過面に挟まれている領域が通過可能な開口部と、前記開口部における前記読み取りセンサー側の端部に連結する嵌合穴とが回動支持部材に設けられ、前記立設状態から前記読み取りセンサーに近づく方向に沿って前記摺動部材が前記開口部を通過し、前記第１及び第２の湾曲面が前記嵌合穴に摺動可能に嵌合することにより、前記プラテン支持部材が前記所定方向に傾くことができるように構成されていることを特徴とする請求項１又は２記載の読み取り装置。
【請求項４】
前記プラテン支持部材が前記傾倒状態にあるときに、前記開口部と前記嵌合穴とが連結した位置において前記第２湾曲面が前記嵌合穴と嵌合して保持されることにより前記読み取りセンサーから遠ざかる方向への前記プラテン支持部材の移動を規制するように、前記第２湾曲面及び嵌合穴が形成されていることを特徴とする請求項３記載の読み取り装置。
【請求項５】
前記回動支持部材を挟持する挟持部であって前記プラテンの長さ方向について前記回動支持部材の一方の面に対向する挟持部と他方の面に対向する挟持部とが前記プラテン支持部材に形成されていることを特徴とする請求項１〜４のいずれか１項記載の読み取り装置。
【請求項６】
前記プラテン支持部材は、原稿の通路を規制するペーパーシュートカバーにより前記読み取りセンサーから遠ざかる方向に沿った移動の上限が制限されていることを特徴とする請求項１〜５のいずれか１項記載の読み取り装置。
【発明の詳細な説明】
【０００１】
【発明の属する技術分野】
本発明は、プラテンを読み取りセンサーに押圧させた状態で保持可能なロック機構を備えた読み取り装置に関するものである。
【０００２】
【従来の技術】
通常、ファクシミリ装置は、原稿に記載された文書や図面等の画像を電話回線を介して伝達できるように、画像を画像情報として読み取る読み取り部と、画像情報を基にして元の画像を印字する印字部と、画像情報を音声信号として電話回線を介して送受信する送受信部とを有している。
【０００３】
上記の読み取り部は、原稿の幅方向に横設された読み取りセンサーに対してプラテンローラを圧接しておき、プラテンローラと読み取りセンサーとの間に原稿を送り込んだ後、プラテンローラの回転により原稿を長手方向に送り出しながら幅方向の画像を順に読み取ることによって、原稿全体の画像情報を得るようになっている。この際、読み取りセンサーに対して原稿が浮き上がった状態になったり、読み取りセンサーに汚れが生じると、画像情報の読み取り精度が低下することになる。
【０００４】
そこで、従来、上記の読み取り部を構成する読み取り装置には、プラテンローラの両端部を軸支する一対のプラテン支持部材同士をプラテンローラに並設されたシャフト部材により連結し、このシャフト部材を回動中心としてプラテン支持部材を昇降させると共に下限位置において保持するように構成したロック機構が備えられている。そして、このロック機構によれば、画像を読み取るときには、プラテン支持部材を下限位置まで下降させることによりプラテンローラを読み取りセンサーに圧接させた状態で保持して原稿の浮き上がりを防止することが可能になっている。また、読み取りセンサーに汚れが生じたり、紙詰まりが生じたときには、プラテンローラを持ち上げてプラテン支持部材と共に上昇させることにより読み取りセンサーから離隔させることによって、清掃作業や紙詰まりの回復作業を行うことが可能になっている。
【０００５】
【発明が解決しようとする課題】
しかしながら、上記従来の構成では、清掃作業や紙詰まりの回復作業時において、オペレータがプラテンローラを持ち上げながら読み取りセンサーから離隔させておく必要があるため、作業性が低いという問題がある。
【０００６】
また、上記従来のように、プラテンローラに並設されたシャフト部材によりプラテン支持部材同士を連結させた構成では、シャフト部材がプラテンローラと略同一長の大きなサイズとなり、この大きなサイズのシャフト部材の設置スペースをプラテンローラに沿って確保することが必要になるため、読み取り装置およびこの読み取り装置を備えたファクシミリ装置が大型化することになるという問題もある。
【０００７】
従って、本発明は、清掃作業や紙詰まりの回復作業時においてオペレータがプラテンローラを持ち上げなくてもプラテンローラを読み取りセンサーから離隔させて良好な作業性を得ることができると共に、部品サイズの小型化および部品の配置スペースの低減化により読み取り装置を小型化することができる読み取り装置を提供しようとするものである。
【０００８】
【課題を解決するための手段】
上記課題を解決するために、請求項１の発明は、読み取りセンサーに対して進退移動可能にプラテンを支持すると共に該プラテンを前記読み取りセンサーに押圧させた状態で保持可能なロック機構と、前記プラテンを覆う開閉可能なカバー部材とを備えた読み取り装置において、前記ロック機構は、前記プラテンの端部を軸支するプラテン支持部材と、前記読み取りセンサーから前記プラテンを離隔させる立設状態と前記立設状態から所定方向に傾き前記読み取りセンサーに前記プラテンを当接させる傾倒状態とを前記プラテン支持部材が選択的に取ることを可能とし、且つ、前記プラテン支持部材が前記傾倒状態にあるときに前記読み取りセンサーから遠ざかる方向に前記プラテンが移動することを禁止しつつ前記プラテンの前記読み取りセンサーへの押圧を維持させるように、前記プラテン支持部材を支持する回動支持部材と、前記プラテン支持部材が前記立設状態にあるときに前記読み取りセンサーから遠ざかる方向における前記プラテン支持部材の一端に一体に設けられており、前記カバー部材が閉められる際に前記カバー部材に当接して前記カバー部材から押圧されることにより前記立設状態から前記傾倒状態に変化させるように前記プラテン支持部材を押圧するレバー部材とを有したことを特徴としている。
これにより、プラテン支持部材が立設状態を取っているときには、プラテンが前記読み取りセンサーから離隔された状態となるため、オペレータがプラテンを持ち上げながら読み取りセンサーを清掃したり、詰まった紙を除去することが不要となり、取り扱いの容易な読み取り装置とすることができる。
さらに、プラテンの両端部に設けられたプラテン支持部材と回動支持部材とでロック機構を構成することができるため、従来のようにプラテンの両端部にかけてシャフト部材を横設してロック機構を構成した場合と比較して部品サイズを小型化することができると共に部品の配置スペースを低減することができ、ひいては読み取り装置を小型化することができる。
さらに、カバー部材を閉める操作により前記レバー部材がカバー部材に当接して前記プラテン支持部材を読み取りセンサー方向に移動させながら所定方向に傾いて回動支持部材において保持されるため、カバー部材を閉める操作と、プラテンを読み取りセンサーへの押圧状態に戻す操作とを同時に行うことができ操作性が向上したものとなる。
【０００９】
請求項２の発明は、請求項１記載の読み取り装置であって、前記プラテン支持部材が立設状態にあるときに、前記プラテンの一端よりも前記読み取りセンサー側に突出した頂部を有する離隔部を前記プラテン支持部材に一体的に備えており、前記プラテン支持部材が前記立設状態にあるときに前記読み取りセンサーに前記離隔部の前記頂部が当接することによって前記プラテンを前記読み取りセンサーから離隔した状態に保持し、前記カバー部材が閉められる際に、前記離隔部の前記頂部を支点として前記プラテン支持部材が傾くことで前記プラテン支持部材の状態が前記立設状態から前記傾倒状態に変化するように、前記カバー部材が前記プラテン支持部材を押圧することを特徴としている。
請求項３の発明は、請求項１又は２記載の読み取り装置であって、前記プラテン支持部材が前記回動支持部材に摺動可能に支持される摺動部材を有しており、前記プラテン支持部材が前記立設状態にあるときに前記読み取りセンサーに近づく方向に突出している第１湾曲面及び前記読み取りセンサーから遠ざかる方向に突出している第２湾曲面と、前記第１及び第２湾曲面の一方の端部同士を結ぶ第１通過面並びに他方の端部同士を結ぶ第２通過面とが前記摺動部材に形成されており、前記摺動部材における前記第１及び第２通過面に挟まれている領域が通過可能な開口部と、前記開口部における前記読み取りセンサー側の端部に連結する嵌合穴とが回動支持部材に設けられ、前記立設状態から前記読み取りセンサーに近づく方向に沿って前記摺動部材が前記開口部を通過し、前記第１及び第２の湾曲面が前記嵌合穴に摺動可能に嵌合することにより、前記プラテン支持部材が前記所定方向に傾くことができるように構成されていることを特徴としている。
請求項４の発明は、請求項１〜３のいずれか１項記載の読み取り装置であって、前記プラテン支持部材が前記傾倒状態にあるときに、前記開口部と前記嵌合穴とが連結した位置において前記第２湾曲面が前記嵌合穴と嵌合して保持されることにより前記読み取りセンサーから遠ざかる方向への前記プラテン支持部材の移動を規制するように、前記第２湾曲面及び嵌合穴が形成されていることを特徴としている。
請求項５の発明は、請求項１〜４のいずれか１項記載の読み取り装置であって、前記回動支持部材を挟持する挟持部であって前記プラテンの長さ方向について前記回動支持部材の一方の面に対向する挟持部と他方の面に対向する挟持部とが前記プラテン支持部材に形成されていることを特徴としている。
【００１０】
請求項６の発明は、請求項１〜５のいずれか１項記載の読み取り装置であって、前記プラテン支持部材は、原稿の通路を規制するペーパーシュートカバーにより前記読み取りセンサーから遠ざかる方向に沿った移動の上限が制限されていることを特徴としている。
これにより、プラテン支持部材の進退方向の移動の上限がペーパーシュートカバーにより制限され、プラテン支持部材を常に読み取り装置本体に装着した状態に維持させることができるため、プラテンの読み取り装置本体からの脱落を防止することができる。
【００１１】
【発明の実施の形態】
本発明の読み取り装置を具体化した実施の形態を図１ないし図６に基づいて以下に説明する。
本実施形態に係る読み取り装置は、図３に示すように、ファクシミリ装置１の読み取り部２２として備えられている。ファクシミリ装置１は、図２に示すように、下側の筐体を構成する収容枠体２を有している。収容枠体２の前面側および背面側には、パネルカバー３および原稿用紙カバー４がそれぞれ開閉可能に設けられている。パネルカバー３には、電話番号の入力キーや機能キー等を備えた操作パネル５が設けられている。また、原稿用紙カバー４には、原稿を支持する原稿挿入ガイド４ａと、印字済みの用紙を排出する用紙排出口４ｂと、多数の用紙を収容可能な用紙収容枠体６とが前面側からこの順に形成または設けられている。
【００１２】
上記の用紙収容枠体６は、図３に示すように、上面から下面にかけて連通されており、上面および下面には、用紙供給口６ａおよび給紙口６ｂがそれぞれ形成されている。また、用紙収容枠体６の内部には、給紙ローラ８が給紙口６ｂに近接して回転可能に設けられていると共に、用紙７を支持する用紙支持板９が設けられている。用紙支持板９は、給紙ローラ８に一方端を当接するように他方端が回動自在に軸支されていると共に、給紙ローラ８方向に付勢されており、給紙ローラ８は、用紙支持板９により用紙７の先端部が給紙ローラ８に圧接された状態で回転することによって、用紙７を１枚単位で給紙口６ｂ方向に繰り出すようになっている。
【００１３】
上記の用紙７が繰り出される給紙口６ｂは、給紙口６ｂの出口側に配置された印字部３６に用紙７を案内する第１案内部６ｅと第２案内部６ｆとで形成されている。第１案内部６ｅは、用紙収容枠体６の前面壁６ｃの下端から背面壁６ｄ側下方向に曲折された後、用紙７の裏面に当接する頂部６ｇを有するように上方に曲折されることにより形成されている。一方、第２案内部６ｆは、用紙収容枠体６の背面壁６ｄの下端から第１案内部６ｅ方向に曲折され、第１案内部６ｅの頂部６ｇよりも先端部が背面壁６ｄ側（給紙ローラ８側）に位置するように形成されている。そして、このように形成された第１案内部６ｅおよび第２案内部６ｆは、第１案内部６ｅの頂部６ｇと第２案内部６ｆの先端部とで用紙７の進行方向を規制することによって、印字部３６に用紙７を案内する際に、印字部３６の印字用プラテンローラ１０と印字ヘッド１１との挟持点Ａにおける接線方向に用紙を進行させるようになっている。
【００１４】
上記の印字用プラテンローラ１０および印字ヘッド１１は、用紙７の幅方向に設けられている。印字ヘッド１１は、用紙７の幅方向の全範囲にわたって印字する印字面を有している。また、印字ヘッド１１は、印字用プラテンローラ１０に圧接されるように、印字用プラテンローラ１０方向に付勢するスプリングバネ１２により支持されている。
【００１５】
上記の印字用プラテンローラ１０および印字ヘッド１１間の挟持点Ａには、上述の第１案内部６ｅと第２案内部６ｆとで案内された用紙７が搬送されるようになっていると共に、用紙幅に略一致したリボン幅のインクリボン１３が搬送されるようになっている。インクリボン１３は、片面のみにインク層が形成されている。また、インクリボン１３は、ロール状に巻回されており、挟持点Ａの後方に設けられた巻出ローラ１４ａから繰り出された後、挟持点Ａにおいて用紙７の印字ヘッド１１側を通過した後、挟持点Ａの前方に設けられた巻取ローラ１４ｂに巻き取られることにより搬送されるようになっている。そして、インクリボン１３は、挟持点Ａにおいて印字ヘッド１１の熱によりインクを用紙７に転写することによって、画像情報を用紙７に印字するようになっている。
【００１６】
また、挟持点Ａの給紙側には、フィルム部材１５が用紙７およびインクリボン１３間に位置するように設けられている。フィルム部材１５は、リボン幅よりも広いフィルム幅および挟持点Ａの近傍から給紙口６ｂの出口側までの範囲にわたったフィルム長を有している。そして、フィルム部材１５は、その先端辺が挟持点Ａの近傍に位置されており、用紙７とインクリボン１３との接触を挟持点Ａまで禁止することによって、インクリボン１３との接触による用紙７の汚れを防止するようになっている。
【００１７】
一方、挟持点Ａの排紙側には、印字された用紙７を案内する用紙排出ガイド１６と、この用紙７を外部に排出する２個の排出ローラ１７とが設けられている。これらの排出ローラ１７は、用紙排出口４ｂの幅方向における中心位置から左右一対に設けられている。また、用紙排出ガイド１６は、用紙排出口４ｂに用紙７を案内するように、挟持点Ａ側から用紙排出口４ｂ側にかけて湾曲されている。用紙排出口４ｂは、用紙収容枠体６の前面壁６ｃと原稿挿入ガイド４ａとで形成されており、用紙排出口４ｂの一方面を形成する前面壁６ｃは、用紙７の一方辺を下側として支持する用紙載置板としての機能を果たすように、用紙排出口４ｂ側から上端部にかけて後方に傾斜されている。また、この前面壁６ｃの底部には、各排出ローラ１７に近接して左右一対に支持部材１８が設けられており、これらの支持部材１８は、用紙７が左右に傾斜して一方の支持部材１８でのみ支持されたときに、重力の作用により両支持部材１８で支持されるように左右の傾斜を修正するようになっている。
【００１８】
また、用紙排出口４ｂの他方面を形成する原稿挿入ガイド４ａは、前面側が背面側よりも下方に位置するように傾斜されており、原稿が載置されたときに重力の作用により前方へ移動させるようになっている。この原稿挿入ガイド４ａの前面側には、原稿の通路を規制するペーパーシュートカバー１９とパネルカバー３とが設けられている。パネルカバー３は、原稿挿入ガイド４ａ側の端部が回動自在に軸支されることにより開閉可能にされており、閉状態となったときにペーパーシュートカバー１９とで原稿通路２０を形成するようになっている。また、これらの原稿挿入ガイド４ａおよび両カバー１９・３は、原稿通路２０への入口となる原稿挿入口２０ａを形成している。
【００１９】
上記の原稿通路２０には、送りローラ２１と読み取り部２２と排紙ローラ２３とが原稿挿入口２０ａ側からこの順に設けられている。送りローラ２１には、分離片２４が圧接されており、送りローラ２１と分離片２４とは、原稿挿入口２０ａに複数枚の原稿が挿入されたときに、１枚単位で原稿を読み取り部２２に送給するようになっている。
【００２０】
上記の読み取り部２２は、ＣＩＳ(contact image sensor)からなる読み取りセンサー２５と、基準色として使用される白色の読取用プラテンローラ２６とを有している。尚、読み取りセンサー２５は、ＣＣＤ(charge coupled device) であっても良い。読み取りセンサー２５は、原稿幅に略一致したセンサー幅の読取面２５ａを有しており、画像を幅方向に１ライン単位で読み取って画像情報とするようになっている。また、読取用プラテンローラ２６の両端部には、読取用プラテンローラ２６を読み取りセンサー２５の読取面２５ａに対して押圧および離隔させるロック機構２７が設けられている。
【００２１】
上記のロック機構２７は、図１および図５に示すように、読取用プラテンローラ２６の一端を回転自在に軸支するプラテン支持部材２８と、プラテン支持部材２８を回動自在に支持すると共に、上下方向に移動可能に支持する回動支持部材３２とを左右一対に有している。回動支持部材３２は、円形状の嵌合穴３２ａと、嵌合穴３２ａの一部を開口した開口部３２ｂとを有している。
【００２２】
上記のプラテン支持部材２８は、回動支持部材３２に沿って立設される板状の支持基体２９と、支持基体２９の前側上部に設けられ、パネルカバー３が当接されるレバー部材３０と、支持基体２９の下部の読取用プラテンローラ２６側に設けられた摺動部材３１とを一体的に有している。支持基体２９は、摺動部材３１の周囲に位置するように突設された第１および第２挟持部２９ｂ・２９ｃを有している。また、摺動部材３１は、上記の第１および第２挟持部２９ｂ・２９ｃとの間隔が回動支持部材３２の厚みに略一致するように設定された第３挟持部３３ａを有しており、この第３挟持部３３ａと第１および第２挟持部２９ｂ・２９ｃとで回動支持部材３２を挟持することによって、プラテン支持部材２８を回動支持部材３２に対して幅方向（左右方向）に固定するようになっている。
【００２３】
また、摺動部材３１の外周には、上下一対に形成された湾曲面３１ａ・３１ａ’（それぞれ第２及び第１湾曲面）と、これらの湾曲面３１ａ・３１ａ’の端部同士を結ぶ通過面３１ｂ・３１ｂ’（それぞれ第１及び第２通過面）とが形成されている。湾曲面３１ａ・３１ａ’は、回動支持部材３２の嵌合穴３２ａに摺動自在に嵌合するように形成されており、通過面３１ｂ・３１ｂ’は、嵌合穴３２ａの直径よりも短尺の開口部３２ｂを通過するように直線状に形成されている。さらに、摺動部材３１の読取用プラテンローラ２６側には、離隔部３１ｃが形成されており、離隔部３１ｃは、前側の通過面３１ｂの下方位置に頂部３１ｄを有している。そして、このように構成されたプラテン支持部材２８は、図５の立設状態となったときに、頂部３１ｄを読み取りセンサー２５の読取面２５ａに当接して摺動部材３１を嵌合穴３２ａから開口部３２ｂに移動しながら上昇させることによって、読取用プラテンローラ２６を読み取りセンサー２５から離隔させるようになっている。一方、図６に示すように、パネルカバー３がレバー部材３０に当接して傾倒状態とされたときには、摺動部材３１が嵌合穴３２ａに嵌合して下限位置において保持されることによって、読取用プラテンローラ２６を読み取りセンサー２５に押圧させるようになっている。
【００２４】
上記のプラテン支持部材２８の摺動部材３１には、貫通穴３１ｅが形成されている。貫通穴３１ｅには、図４に示すように、読取用プラテンローラ２６の支持軸２６ａが回転自在に貫挿されている。支持軸２６ａの端部には、読取用プラテンローラ２６を回転駆動するプラテンローラギヤ３４が固設されている。プラテンローラギヤ３４の上方には、上述のペーパーシュートカバー１９の端部１９ａが位置されており、この端部１９ａは、読取用プラテンローラ２６やプラテン支持部材２８がオペレータにより持ち上げられたときに、プラテンローラギヤ３４に当接することによって、摺動部材３１を回動支持部材３２から脱落させないようになっている。
【００２５】
上記のプラテンローラギヤ３４は、図示しない各種のギヤや駆動モータからなる駆動機構を構成している。駆動機構は、図３に示すように、上述の給紙ローラ８や印字用プラテンローラ１０、巻出，巻取ローラ１４ａ・１４ｂ等を回転駆動するようになっており、この駆動機構の制御は、収容枠体２の底部に設けられた制御盤３５において行われるようになっている。制御盤３５は、駆動機構を制御することによって、読み取り部２２における画像の読み取り処理や、印字部３６おける用紙７への印字処理、電話回線を介した画像情報の送受信処理等を行うようになっている。
【００２６】
上記の構成において、ファクシミリ装置１における読み取り部２２の動作を説明する。
【００２７】
画像を送信する場合において、例えば複数枚の原稿が原稿挿入ガイド４ａに載置されて原稿挿入口２０ａに挿入されると、これらの原稿は、原稿挿入ガイド４ａに沿って矢符方向に滑り込んだ後、送りローラ２１と分離片２４とで１枚目の原稿のみが読み取り部２２方向に所定量繰り出される。この後、図２の操作パネル５の入力キー等を押圧して相手先が呼び出され、相手先からの応答により送信可能状態になると、送りローラ２１が回転されることによって、原稿が読み取り部２２の読取用プラテンローラ２６と読み取りセンサー２５との間に搬送される。そして、読取用プラテンローラ２６により原稿が読み取りセンサー２５に押圧されながら搬送されることによって、画像が読み取りセンサー２５により順次読み取られ、読み取られた画像情報が電話回線を介して相手先へ送信されることになる。
【００２８】
この際、原稿を搬送する読取用プラテンローラ２６は、ロック機構２７により押圧状態が維持されている。即ち、図６に示すように、ロック機構２７のプラテン支持部材２８がパネルカバー３等により下方向に押圧されながら傾倒されると、摺動部材３１の湾曲面３１ａ・３１ａ’が回動支持部材３２の嵌合穴３２ａに嵌合しながら回動し、嵌合穴３２ａにおいて保持される。従って、プラテン支持部材２８に両端を軸支された読取用プラテンローラ２６は、プラテン支持部材２８の摺動部材３１と共に下方向に移動して読み取りセンサー２５に当接し、読み取りセンサー２５を押圧した状態で保持されることになる。これにより、読取用プラテンローラ２６による原稿の押圧によって、原稿と読み取りセンサー２５との位置関係が安定し、良好な品質の画像情報を得ることが可能になっている。
【００２９】
次に、読み取りセンサー２５の清掃作業や紙詰まりの回復作業を行う場合には、読取用プラテンローラ２６を覆うパネルカバー３が開かれる。そして、レバー部材３０がオペレータにより引き上げられることによって、傾倒状態のプラテン支持部材２８が立設状態となるように前方に回動される。プラテン支持部材２８が回動されると、離隔部３１ｃが読み取りセンサー２５に当接し、摺動部材３１が嵌合穴３２ａにおいて上方向に付勢される。そして、図５に示すように、プラテン支持部材２８の通過面３１ｂ・３１ｂ’と回動支持部材３２の開口部３２ｂとが一致したときに、摺動部材３１が嵌合穴３２ａから開口部３２ｂを上昇する。この後、頂部３１ｄが読み取りセンサー２５に当接してプラテン支持部材２８が立設状態となったときに、摺動部材３１が最高位置に到達して保持される。これにより、プラテン支持部材２８に両端を軸支された読取用プラテンローラ２６は、プラテン支持部材２８の摺動部材３１と共に上方向に移動して読み取りセンサー２５から離隔した状態で保持されるため、読取面２５ａの清掃作業や紙詰まりの回復作業を両手を用いて容易に行うことが可能になっている。
【００３０】
また、上記の清掃作業時や紙詰まりの回復作業時において、プラテン支持部材２８や読取用プラテンローラ２６を持ち上げた場合には、図４に示すように、読取用プラテンローラ２６の支持軸２６ａに設けられたプラテンローラギヤ３４がペーパーシュートカバー１９の端部１９ａに当接し、摺動部材３１の回動支持部材３２からの脱落や読取用プラテンローラ２６の取り外しが禁止される。これにより、作業終了後に、プラテン支持部材２８を回動支持部材３２に取り付けるというオペレータにとって煩わしい作業の発生を未然に防止することが可能になっている。
【００３１】
この後、清掃作業等が終了し、図６に示すように、プラテン支持部材２８を立設状態にしたままでパネルカバー３が閉められると、パネルカバー３がレバー部材３０の上部に当接し、プラテン支持部材２８が下方向に押圧されながら傾倒される。この際、摺動部材３１は、嵌合穴３２ａの開口部周縁との当接部が回動方向に沿った湾曲形状となる湾曲面３１ａ・３１ａ’に形成されているため、パネルカバー３の押圧力が僅かなものであっても円滑に嵌合穴３２ａに嵌合することになる。そして、上述のように、摺動部材３１が嵌合穴３２ａにおいて保持されることによって、読取用プラテンローラ２６が読み取りセンサー２５に圧接された状態で保持されることになる。これにより、読取用プラテンローラ２６の両端に設けられたプラテン支持部材２８を傾倒させる２回の作業をパネルカバー３を閉める作業で同時に行うことができるため、操作性が良好なものになっている。
【００３２】
以上のように、本実施形態の読み取り装置は、図１に示すように、読み取りセンサー２５に対して昇降可能に読取用プラテンローラ２６を支持し、読取用プラテンローラ２６を読み取りセンサー２５に押圧させた状態で保持可能なロック機構２７を備えている。そして、ロック機構２７は、読取用プラテンローラ２６の端部を軸支したプラテン支持部材２８と、プラテン支持部材２８を昇降方向に対してのみ移動自在に支持すると共に、プラテン支持部材２８が後方に回動したときに昇降を禁止し、読取用プラテンローラ２６の読み取りセンサー２５への押圧を維持させる回動支持部材３２と、プラテン支持部材２８が回動支持部材３２に移動自在に支持されているときに、読取用プラテンローラ２６を読み取りセンサー２５から離隔させるようにプラテン支持部材２８を移動させる離隔部３１ｃとを有した構成になっている。
【００３３】
尚、本実施形態においては、プラテン支持部材２８を後方に回動させているが、前方や側方等の所定方向に回動するものであれば良い。また、読取用プラテンローラ２６は、読み取りセンサー２５に対して昇降可能である必要はなく、読み取りセンサー２５に対して進退移動可能であれば、任意の移動方向を適用することができる。また、本実施形態においては、ファクシミリ装置１に備えられた読み取り部２２を用いて読み取り装置を説明したが、読み取り装置は、例えば複写機やプリンタ装置等の他の事務機器においても適用することができる。
【００３４】
上記の構成によれば、プラテン支持部材２８が回動支持部材３２に昇降自在に支持されているときには、離隔部３１ｃにより読取用プラテンローラ２６が読み取りセンサー２５から離隔された状態となるため、オペレータが読取用プラテンローラ２６を持ち上げながら読み取りセンサー２５を清掃したり、詰まった紙を除去することが不要となり、取り扱いの容易な読み取り装置とすることができる。さらに、プラテン支持部材２８と回動支持部材３２とでロック機構２７を構成することができるため、従来のように読取用プラテンローラ２６の両端部にかけてシャフト部材を横設してロック機構を構成した場合と比較して部品サイズを小型化することができると共に部品の配置スペースを低減することができ、ひいては読み取り装置を小型化することができる。
【００３５】
また、図５および図６に示すように、本実施形態における読取用プラテンローラ２６の上方には、読取用プラテンローラ２６を覆うパネルカバー３（カバー部材）が開閉可能に設けられており、プラテン支持部材２８には、パネルカバー３が閉められたときに、パネルカバー３に当接することによって、プラテン支持部材２８を読み取りセンサー２５方向に移動させながら後方に回動させるレバー部材３０が設けられている構成である。そして、この構成によれば、カバー部材を閉める操作により前記レバー部材がカバー部材に当接して前記プラテン支持部材を読み取りセンサー方向に移動させながら所定方向に回動させて回動支持部材において保持させることができるため、カバー部材を閉める操作と、プラテンを読み取りセンサーへの押圧状態に戻す操作とを同時に行うことができ操作性が向上したものとなる。
【００３６】
また、本実施形態におけるプラテン支持部材２８は、原稿の通路を規制するペーパーシュートカバー１９の端部１９ａにより進退方向の移動の上限が制限された構成にされている。そして、この構成によれば、プラテン支持部材２８の進退方向の移動の上限がペーパーシュートカバー１９により制限され、プラテン支持部材２８を常に読み取り部２２に装着した状態に維持させることができるため、読取用プラテンローラ２６の脱落を防止することができる。
【００３７】
【発明の効果】
請求項１記載の読み取り装置によれば、ロック機構が、プラテンの端部を軸支するプラテン支持部材と、前記読み取りセンサーから前記プラテンを離隔させる立設状態と前記立設状態から所定方向に傾き前記読み取りセンサーに前記プラテンを当接させる傾倒状態とを前記プラテン支持部材が選択的に取ることを可能とし、且つ、前記プラテン支持部材が前記傾倒状態にあるときに前記読み取りセンサーから遠ざかる方向に前記プラテンが移動することを禁止しつつ前記プラテンの前記読み取りセンサーへの押圧を維持させるように、前記プラテン支持部材を支持する回動支持部材と、前記プラテン支持部材が前記立設状態にあるときに前記読み取りセンサーから遠ざかる方向における前記プラテン支持部材の一端に一体に設けられており、前記カバー部材が閉められる際に前記カバー部材に当接して前記カバー部材から押圧されることにより前記立設状態から前記傾倒状態に変化させるように前記プラテン支持部材を押圧するレバー部材とを有した構成なので、これにより、プラテン支持部材が立設状態を取っているときには、プラテンが前記読み取りセンサーから離隔された状態となるため、オペレータがプラテンを持ち上げながら読み取りセンサーを清掃したり、詰まった紙を除去することが不要となり、取り扱いの容易な読み取り装置とすることができる。
さらに、プラテンの両端部に設けられたプラテン支持部材と回動支持部材とでロック機構を構成することができるため、従来のようにプラテンの両端部にかけてシャフト部材を横設してロック機構を構成した場合と比較して部品サイズを小型化することができると共に部品の配置スペースを低減することができ、ひいては読み取り装置を小型化することができるという効果を奏する。
さらに、カバー部材を閉める操作によりプラテン支持部材を回動させて回動支持部材において保持させることができるため、操作性が向上したものとなるという効果を奏する。
【００３８】
【００３９】
請求項６記載の読み取り装置によれば、前記プラテン支持部材は、原稿の通路を規制するペーパーシュートカバーにより前記読み取りセンサーから遠ざかる方向に沿った移動の上限が制限されているので、これにより、プラテン支持部材の進退方向の移動の上限がペーパーシュートカバーにより制限され、プラテン支持部材を常に読み取り装置本体に装着した状態に維持させることができるため、プラテンの読み取り装置本体からの脱落を防止することができるという効果を奏する。
【図面の簡単な説明】
【図１】  プラテン支持部材の斜視図である。
【図２】  ファクシミリ装置の斜視図である。
【図３】  ファクシミリ装置の概略断面図である。
【図４】  ロック機構の正面図である。
【図５】  プラテン支持部材が立設状態にされたロック機構の側面図である。
【図６】  プラテン支持部材が傾倒状態にされたロック機構の側面図である。
【符号の説明】
１  ファクシミリ装置
２  収容枠体
３  パネルカバー
４  原稿用紙カバー
７  用紙
１０  印字用プラテンローラ
１１  印字ヘッド
１３  インクリボン
１５  フィルム部材
１７  排出ローラ
１９  ペーパーシュートカバー
２１  送りローラ
２２  読み取り部
２３  排紙ローラ
２５  読み取りセンサー
２６  読取用プラテンローラ
２７  ロック機構
２８  プラテン支持部材
２９  支持基体
３０  レバー部材
３１  摺動部材
３１ａ、３１ａ’  湾曲面
３１ｂ、３１ｂ’  通過面
３１ｃ  離隔部
３１ｄ  頂部
３２  回動支持部材
３２ａ  嵌合穴
３２ｂ  開口部
３４  プラテンローラギヤ
３５  制御盤
３６  印字部
【図１】
0003780598.tif 000002
【図２】
0003780598.tif 000003
【図３】
0003780598.tif 000004
【図４】
0003780598.tif 000005
【図５】
0003780598.tif 000006
【図６】
0003780598.tif 000007